(57)【特許請求の範囲】
【請求項１】
ケース本体を構成するフレーム構造体の階段の各段部に、切り花用の活け水を収容し切り花が挿入される花桶が収容される水槽を階段状となるように備え、上段側の水槽内に給水された活け水を一定の水位に保持しつつ次段の下段側の水槽内にオーバーフローさせて、同下段側の水槽内に給水する切り花展示用フラワーショーケースであり、
前記花桶は、上端開口部の周縁部に前方へ下降傾斜する外向きフランジ状の傾斜面部を備え、前記上段側の水槽内に収容された花桶の前記傾斜面部の前端部側と前記下段側の水槽内に収容された花桶の前記傾斜面部の後端部とは互いに連係して、上下に一体の下降傾斜面を形成するもので、
前記フレーム構造体の階段より下方の空間部の前側開口部を覆蓋するフロントパネルの上面部と、前記フレーム構造体の最下段に配置された水槽内に収容されている花桶の傾斜面部の前端部との間には、前記下降傾斜面を流下する水を下方に導く空間よりなる所定幅の隙間が形成されていて、
前記フレーム構造体の階段より下方の空間部には前記下方に導かれた前記下降傾斜面を流下する水を受承するドレンパンを設けたことを特徴とする切り花展示用フラワーショーケース。
【請求項２】
請求項１に記載の切り花展示用フラワーショーケースにおいて、
前記フレーム構造体は、方形の下側枠部の後方にて起立する上下方向に長尺の後側柱状枠部と、前記下側枠部の前方にて起立する上下方向に短尺の前側柱状枠部と、前記各柱状枠部の左右の支柱部に組付けられて前方へ下降傾斜する左右一対のサイドフレームと、これら両サイドフレームに組付けられて階段状に位置して前記各水槽が配置される各段部を形成する複数のベースフレームを備え、
前記各サイドフレームは底部に前方へ下降傾斜して前記ドレンパンの上方に臨む溝部を備え、
前記各水槽は前記フレーム構造体の前記各ベースフレーム上にそれぞれ配置されていて、これら各水槽内に収容された前記花桶の前記傾斜面部の側縁が前記各サイドフレームの前記溝部の上方に臨んでいることを特徴とする切り花展示用フラワーショーケース。
【請求項３】
請求項２に記載の切り花展示用フラワーショーケースにおいて、
前記フレーム構造体の側部には、前記各ベースフレームに配置される各水槽の側部を覆蓋する化粧板が取付けられていることを特徴とする切り花展示用フラワーショーケース。
【請求項４】
請求項１〜３の何れか１項に記載の切り花展示用フラワーショーケースにおいて、
前記水槽内には左右一対の花桶が並列して収容されるものであって、これら花桶が有する傾斜面部の側部は互いに連係して左右に一体の下降傾斜面を形成していることを特徴とする切り花展示用フラワーショーケース。
【請求項５】
請求項１〜４の何れか１項に記載の切り花展示用フラワーショーケースにおいて、
前記フレーム構造体の階段の下方の空間部における前側開口部を覆蓋する前記フロントパネルの上側面は、前記花桶の傾斜面部の傾斜面と同一または近似する角度の傾斜面に形成されていることを特徴とする切り花展示用フラワーショーケース。
【請求項６】
請求項１〜５の何れか１項に記載の切り花展示用フラワーショーケースにおいて、
前記ドレンパンは、前記フレーム構造体に着脱自在に配設されていることを特徴とする切り花展示用フラワーショーケース。
【請求項７】
請求項１〜６の何れか１項に記載の切り花展示用フラワーショーケースにおいて、
前記ドレンパンは、当該フラワーショーケースが有する排水管に接続されていて、同ドレンパン内に受水された水は前記排水管を通して外部に排出されることを特徴とする切り花展示用フラワーショーケース。
【請求項８】
請求項１〜７の何れか１項に記載の切り花展示用フラワーショーケースにおいて、
前記フレーム構造体の側部には、同フレーム構造体における下方の空間部の側部を覆蓋するサイドパネルが取付けられていることを特徴とする切り花展示用フラワーショーケース。
【請求項９】
請求項１〜８の何れか１項に記載の切り花展示用フラワーショーケースにおいて、
前記フレーム構造体の側部には、同フレーム構造体の階段より上方の空間部の側部を透視可能に覆蓋するサイドパネルが取付けられていることを特徴とする切り花展示用フラワーショーケース。
【発明の詳細な説明】
【技術分野】
【０００１】
本発明は、切り花展示用のフラワーショーケースに関する。
【背景技術】
【０００２】
切り花展示用フラワーショーケースの一形式として、切り花用の活け水を収容する水槽を階段状に複数段備え、上段側の水槽内に給水された活け水を一定の水位に保持しつつ次段の下段側の水槽内にオーバーフローさせて同下段側の水槽内に給水する形式の切り花展示用フラワーショーケースがある（特許文献１，２を参照）。当該形式の従来のフラワーショーケースにおいては、各水槽内に、切り花が挿入される花桶を収容して使用されるものがある。
【先行技術文献】
【特許文献】
【０００３】
【特許文献１】特開２００１−０７０１１９号公報
【特許文献２】特開２００１−３４６６６８号公報
【発明の概要】
【発明が解決しようとする課題】
【０００４】
切り花が挿入される花桶を各水槽内に収容して使用される当該切り花展示用フラワーショーケースにおいては、階段の各段部に配置した水槽内や花桶内に給水する際に、また、切り花を花桶に挿入したり花桶から取出す際に、水滴、花弁、葉等が階段の各段部の上面や、水槽内および花桶内に落下することが多く、また、階段の各段部の上面に落ちた水滴、花弁、葉等は、当該フラワーショーケースが設置されている床面上に落下するおそれがある。
【０００５】
階段の各段部の上面や床面上に落下した水滴、花弁、葉等は、当該フラワーショーケースや展示する切り花の見栄えを損ない、さらには、切り花の展示にも支障を来すおそれがある。また、水槽内および花桶内に落下した花弁、葉等は、水槽内のオーバーフロー系統に詰まってこれを閉塞し、また、水槽内に収容さている活け水を早期に汚染するおそれがある。
【０００６】
本発明の目的は、ケース本体を構成するフレーム構造体の階段の各段部に、花桶を収容する複数の水槽を階段状に配置してなる切り花展示用フラワーショーケースにおいて、各段部に配置した水槽内や水槽内に収容した花桶に給水したり、花桶に切り花を挿入したり、花桶から切り花を取出す際に生じる水滴、花弁、葉等の落下に対処することによって、これらの落下に起因する上記した問題を解決することにある。
【課題を解決するための手段】
【０００７】
本発明は、切り花展示用フラワーショーケースに関する。本発明が適用対象とするフラワーショーケースは、ケース本体を構成するフレーム構造体の階段の各段部に、切り花用の活け水を収容し切り花が挿入される花桶が収容される水槽を階段状となるように備え、上段側の水槽内に給水された活け水を一定の水位に保持しつつ次段の下段側の水槽内にオーバーフローさせて、同下段側の水槽内に給水する形式の切り花展示用フラワーショーケースである。
【０００８】
本発明に係るフラワーショーケースにおいては、各水槽内に収容される花桶は、上端開口部の周縁部に前方へ下降傾斜する外向きフランジ状の傾斜面部を備え、上段側の水槽内に収容された花桶の前記傾斜面部の前端部側と前記下段側の水槽内に収容された花桶の傾斜面部の後端部とは互いに連係して、上下に一体の下降傾斜面を形成するものである。
【０００９】
しかして、本発明に係るフラワーショーケースにおいては、前記フレーム構造体の階段より下方の空間部の前側開口部はフロントパネルにて覆蓋されていて、当該フロントパネルと、前記フレーム構造体の最下段に配置された水槽内に収容されている花桶の傾斜面部の前端部との間には、前記下降傾斜面を流下する水を下方に導く空間よりなる所定幅の隙間が形成されていて、前記フレーム構造体の階段より下方の空間部には前記下方に導かれた前記下降傾斜面を流下する水を受承するドレンパンを設けたことを特徴とするものである。
【００１０】
本発明に係るフラワーショーケースにおいては、前記フレーム構造体を、方形の下側枠部の後方にて起立する上下方向に長尺の後側柱状枠部と、前記下側枠部の前方にて起立する上下方向に短尺の前側柱状枠部と、前記各柱状枠部の左右の支柱部に組付けられて前方へ下降傾斜する左右一対のサイドフレームと、これら両サイドフレームに組付けられて階段状に位置して前記各水槽が配置される各段部を形成する複数のベースフレームを備える構成とすることができる。
【００１１】
当該フレーム構造体においては、前記各サイドフレームの底部に、前方へ下降傾斜して前記ドレンパンの上方に臨む溝部を備える構成とし、当該フレーム構造体の前記各ベースフレーム上にそれぞれ配置した各水槽内に収容されている前記花桶の前記傾斜面部の側縁部が前記各サイドフレームの前記溝部の上方に臨む構成とすることができる。
【００１２】
本発明に係るフラワーショーケースにおいて、各水槽内に左右一対の花桶が並列して収容される形式のフラワーショーケースである場合には、これら花桶が有する傾斜面部の側部を互いに連係して左右に一体の下降傾斜面を形成する構成とすることができる。
【００１３】
当該フラワーショーケースにおいては、前記フレーム構造の階段の下方の空間部における前側開口部を覆蓋する前記フロントパネルの上側面を、前記花桶の傾斜面部の傾斜面と同一または近似する角度の傾斜面に形成することができる。
【００１４】
当該フラワーショーケースにおいては、前記ドレンパンを前記フレーム構造体に着脱自在に配設する構成とし、また、前記ドレンパンを当該フラワーショーケースが有する排水管に接続して、同ドレンパン内に受水された水を前記排水管を通して外部に排出する構成とすることができる。
【００１５】
当該フラワーショーケースにおいては、前記フレーム構造体の側部に、同フレーム構造体における下方の空間部の側部を覆蓋するサイドパネルを取付け、また、前記各ベースフレームに配置される各水槽の側部を覆蓋する化粧板を取付け、また、前記フレーム構造体の階段より上方の空間部の側部を透視可能に覆蓋するサイドパネルを取付ける構成とすることができる。
【発明の効果】
【００１６】
本発明に係る切り花展示用フラワーショーケースにおいては、フレーム構造体の階段の各段部に配置した水槽内や花桶内に給水したり、花桶に切り花を挿入したり、花桶から切り花を取出す際に生じる水滴、花弁、葉等は、階段の各段部に配置した水槽内に収容した上下の花桶同士の傾斜面部が形成している、上下に一体の下降傾斜面上に落下することになる。また、当該下降傾斜面上に落下した水滴、花弁、葉等は、自らまたは作業者の補助によって、当該下降傾斜面上を下方に滑って最下段の花桶の傾斜面部の前端とフロントパネル間に設けた隙間を通ってドレンパンに落下して受承される。
【００１７】
従って、当該フラワーショーケースにおいては、上下の花桶の傾斜面部同士が形成する下降傾斜面上に落下した水滴、花弁、葉等は残存することがなく、また、下降傾斜面上に落下した水滴、花弁、葉等は当該フラワーショーケースが設置されている床面上に落下することはない。
【００１８】
このため、給水や、切り花を花桶内に挿入する際、切り花を花桶内から取出す際に落下する水滴、花弁、葉等によって、当該フラワーショーケースや、展示している切り花の見栄えが損われるようなことはなく、また、水滴、花弁、葉等によって、当該フラワーショーケースの設置場所の周囲が汚染されることもない。
【００１９】
また、当該フラワーショーケースにおいては、水滴、花弁、葉等が水槽内や花桶内等に落下することがなく、水槽内のオーバーフロー系統の目詰まりや、水槽内に収容さている活け水の早期の汚染を防止することができる。
【００２０】
なお、本発明に係るフラワーショーケースの一実施形態では、各水槽内への給水や、各水槽内の活け水の入れ替えは、上下の各水槽を互いに閉鎖した状態で、給水手段を介して自動的に行っていることから、活け水が水槽の外へ飛散することはない。
【００２１】
当該フラワーショーケースにおいては、ドレンパンをフレーム構造体に対して着脱自在に配設する構成とすることができ、また、ドレンパンを当該フラワーショーケースが有する排水管に接続する構成とすることができる。
【００２２】
前者の構成によれば、ドレンパンをケース本体から容易に取出して、ドレンパンの清掃、延いては、当該フラワーショーケースの清掃等を容易に行うことができ、さらには、当該フラワーショーケースのメンテナンスをも容易に行うことができる。また、後者の構成によれば、ドレンパン上に許容量以上の容量の水が流下する場合でも、ドレンパン上に受水された水はその都度排水されることになることから、受水した水がドレンパンから溢出るようなことはない。
【００２３】
また、当該フラワーショーケースにおいては、水槽内に収容された左右に位置する花桶の傾斜面部同士で、左右に一体の下降傾斜面を形成する構成とすることができる。当該構成によれば、互いに並列する両花桶間にも隙間がなく、これらの隙間を通して、水滴、花弁や葉等が水槽内に落下するようなことはない。
【００２４】
当該フラワーショーケースにおいては、フレーム構造体として、上記した構成のフレーム構造体を採用すれば、階段の各段の水槽内に収容された花桶の傾斜面部の下降傾斜面の側部とサイドフレーム間の隙間から垂れた水は、当該サイドフレームが有する溝部に受承されて下方に流れて、ドレンパンに受水されることになる。このため、当該フレーム構造体によれば、当該フラワーショーケースや、展示している切り花の見栄えを一層向上させることができる。
【００２５】
当該フラワーショーケースにおいては、フレーム構造体の側部に同フレーム構造体における下方の空間部の側部を覆蓋するサイドパネルを取付ける構成とし、フレーム構造体の側部に各ベースフレームに配置される各水槽の側部を覆蓋する化粧板を取付ける構成とし、フレーム構造体の側部に同フレーム構造体の階段より上方の空間部の側部を透視可能に覆蓋するサイドパネルを取付ける構成とすることができる。当該構成によれば、当該フラワーショーケースの外観の見栄えを一層向上させることができるとともに、当該フレーム構造体の強度を補強することができる。
【００２６】
当該フラワーショーケースにおいて、フレーム構造体の階段の下方の空間部の前側開口部を覆蓋するフロントパネルの上側面を、花桶の傾斜面部の傾斜面と同一または近似する角度の傾斜面とすることができる。当該構成によれば、フロントパネルと花桶の傾斜面部の前端部との間の隙間を目立たなくすることができる。
【図面の簡単な説明】
【００２７】
【図１】本発明の一実施形態に係るフラワーショーケースの正面図である。
【図２】当該フラワーショーケースの側面図である。
【図３】花桶を収容した水槽を縦断しサイドパネルを取り外した状態の当該フラワーショーケースの側面図である。
【図４】当該フラワーショーケースの水経路を主として示す概略構成図である。
【図５】当該フラワーショーケースを構成するフレーム構造体の斜視図である。
【図６】当該フラワーショーケースを構成する水槽の斜め上方からみた斜視図（ａ）、および、平面図（ｂ）である。
【図７】当該水槽における図６（ｂ）の 矢印７−７線方向にみた縦断側面図である。
【図８】当該フラワーショーケースに使用する花桶の一実施形態を示す正面図（ａ）、側面図（ｂ）、および、縦断側面図（ｃ）である。
【図９】当該フラワーショーケースに使用する花桶の他の一実施形態を示す平面図（ａ）、および、正面側の上方からみた斜視図（ｂ）である。
【図１０】当該フラワーショーケースに使用する花桶のさらに他の一実施形態を示す一部を切欠いた斜め上方からみた斜視図である。
【発明を実施するための形態】
【００２８】
本発明は、切り花展示用フラワーショーケースに関する。本発明が適用対象とする切り花展示用フラワーショーケースは、ケース本体を構成するフレーム構造体の階段の各段部に、切り花用の活け水を収容し切り花が挿入される花桶が収容される水槽を階段状に複数段備え、上段側の水槽内に給水された活け水を一定の水位に保持しつつ次段の下段側の水槽内にオーバーフローさせて、同下段側の水槽内に給水する形式の切り花展示用フラワーショーケースである。
【００２９】
本発明は、当該形式の切り花展示用フラワーショーケースにおいて、フレーム構造体の階段の各段部に配置した水槽内に給水したり、水槽内に収容した花桶に切り花を挿入したり、花桶から切り花を取出す際に生じる水滴、花弁、葉等の落下に対処することによって、水滴、花弁、葉等の落下に起因する当該フラワーショーケースの見栄えの損ないや、展示している切り花の見栄えの損ないを大きく抑制することを意図し、さらには、水滴、花弁、葉等の水槽内、花桶内等への落下を防止して、水槽内のオーバーフロー系統の目詰まりや、水槽内に収容さている活け水の早期の汚染を防止することを意図している。
【００３０】
図１は本発明の一実施形態に係るフラワーショーケースを示す正面図、図２は当該フラワーショーケースの側面図、図３は花桶を収容した水槽を縦断した、サイドパネルを取り外した状態の当該フラワーショーケースの側面図、図４は当該フラワーショーケースの水経路を主として示す概略構成図、図５は当該フラワーショーケースを構成するフレーム構造体の斜視図である。但し、図１、図２および図５では、当該フラワーショーケースが有する４本の脚部は省略している。
【００３１】
本発明の一実施形態に係るフラワーショーケースは、各水槽２０（２０ａ，２０ｂ）内に収容した花桶３０ａ内に切り花を挿入して展示に供するもので、図５に示すフレーム構造体１０の階段の各段部に、図６および図７に示す切り花用の活け水を収容する水槽２０（２０ａ，２０ｂ）を左右に一対並列した状態で、３階段に配設しているものである。
【００３２】
当該フラワーショーケースにおいては、フレーム構造体１０における水槽２０ａ，２０ｂの配設部位の下方の部位、すなわち、ケース本体の下方の部位は機械室となっている。当該機械室には、後述する水源である電解水生成装置やドレンパン、電解水生成装置の電解運転に要する制御装置等が配設されている。図４には、フレーム構造体１０に配設した各水槽２０ａ，２０ｂと、活け水を各水槽２０ａ，２０ｂに給水するための水経路との関係を概略的に示している。
【００３３】
なお、図４に示す概略構成図では、便宜上、各ベースフレームの左側に配置される水槽を水槽２０ａと、右側に配置される水槽を２０ｂと表示して、並列配置される両水槽を区別している。但し、両水槽２０ａ，２０ｂは、オーバーフローパイプの設置位置を除き、基本的には同一構成である。このため、これらの水槽を区別する必要がない場合には、単に水槽２０として説明する。当該フラワーショーケースの構成については、先ず、その概略構成を示す図４に基づいて説明する。
【００３４】
当該フラワーショーケースにおいては、後述するフレーム構造体１０を構成する階段に３段階に配設されたそれぞれのベースフレームに、左右一対の水槽２０ａ，２０ｂが互いに隣接した状態で並列配置されている。上段、中段および下段に配置された各水槽２０ａ，２０ｂは、各オーバーフローパイプ２１にて水経路的に接続されており、また、上段の各水槽２０ａ，２０ｂは、当該フラワーショーケースが水源として装備している電解水生成装置４０に給水管を介して接続されている。
【００３５】
当該電解水生成装置４０は、被電解水を有隔膜電解する有隔膜電解槽を主体とする電解槽機構部４１と、被電解水を調製するための濃塩水を収容する濃塩水タンク４２を主体とする被電解水調製機構からなるもので、電解槽機構部４１を構成する有隔膜電解槽の陽極側電解室が給水管５１を介して、上段の各水槽２０ａ，２０ｂに接続されている。また、有隔膜電解槽には、被電解水の給水管５２が接続されている。給水管５２は、水道管に接続されているとともに、有隔膜解槽の接続部位より上流側の部位に、濃塩水タンク４２が給水管５２ａを介して接続されている。
【００３６】
これにより、濃塩水タンク４２からは、水道水が流れる給水管５２内に、設定された所定量の濃塩水が継続して供給され、濃塩水は給水管５２内を流動する水道水によって希釈されて希薄塩水に調製される。調製された希薄塩水は、被電解水として、電解槽機構部４１を構成する有隔膜電解槽に供給される。当該有隔膜電解槽では、被電解水を有隔膜電解して、陽極側電解室にて電解生成酸性水が生成される。生成された電解生成酸性水は、活け水として、給水管５１を通して上段の各水槽２０ａ，２０ｂ内に給水される。
【００３７】
上段の各水槽２０ａ，２０ｂ内に順次給水される電解生成酸性水である活け水は、各水槽２０ａ，２０ｂ内を満杯にし、余剰となった活け水は、オーバーフローパイプ２１を通してオーバーフローして、中段の各水槽２０ａ，２０ｂ内に給水されて中段の各水槽２０ａ，２０ｂ内を満杯にし、余剰となった活け水は、オーバーフローパイプ２１を通してオーバーフローして、下段の各水槽２０ａ，２０ｂ内に給水される。下段の各水槽２０ａ，２０ｂ内に立設したオーバーフローパイプ２１は、排水管５４に接続されていて、下段の各水槽２０ａ，２０ｂ内で余剰となった活け水は、オーバーフローパイプ２１を通して排水管５４内にオーバーフローし、排水管５４を通して排水される。
【００３８】
当該フラワーショーケースにおいては、給水管５１の途中に三方弁５３ａを介して、電解生成酸性水を注出する注出管５３ｂが接続されていて、三方弁５３ａを切替動作することによって、注出管５３ｂから、電解生成酸性水を注出することができるようになっている。これは、切り花を購入した人に、注出された電解生成酸性水を活け水として供することを意図している。
【００３９】
なお、当該フラワーショーケースにおいては、各水槽２０ａ，２０ｂは排水管を備えていない。各水槽２０ａ，２０ｂ内に活け水の排水は、各水槽２０ａ，２０ｂを清掃する場合であることが多く、この場合には、各水槽２０ａ，２０ｂ内に設置されているオーバーフローパイプ２１を各水槽２０ａ，２０ｂから抜き取れば、各水槽２０ａ，２０ｂ内の活け水をオーバーフローパイプの取付孔部を通して完全に排水されることになる。
【００４０】
当該フラワーショーケースを構成するフレーム構造体１０は、図５に示すように、水槽２０ａ，２０ｂを配置するためのベースフレームを階段状に３段備えている。フレーム構造体１０は、方形の下側枠部１１の後方にて起立する上下方向に長尺の後側柱状枠部１２と、下側枠部１１の前方にて起立する上下方向に短尺の前側柱状枠部１３を一体とする枠体で、後側柱状枠部１２の中間部には、左右の各支柱部１２ａ，１２ｂを互いに連結する連結フレーム１４ａが組付けられ、また、左右の各支柱部１２ａ，１２ｂの頂部に設けた前方へ延びる腕部には、各腕部を互いに連結する天板１４ｂが組付けられている。
【００４１】
一方、各柱状枠部１２，１３間には、左右一対のサイドフレーム１５ａ，１５ｂがそれぞれ組付けられている。各サイドフレーム１５ａ，１５ｂは、底部に断面コ状の溝部１５ｃを備えているもので、サイドフレーム１５ａ，１５ｂの後端部は後側柱状枠部１２を構成する左右の支柱部１２ａ，１２ｂの中間部に組付けられ、かつ、サイドフレーム１５ａ，１５ｂの前端部は前側柱状枠部１３を構成する左右の支柱部１３ａ，１３ｂの上端部に組付けられている。かかる組付構造により、各サイドフレーム１５ａ，１５ｂは、後側柱状枠部１２から前側柱状枠部１３に向かって前方へ下降傾斜する傾斜フレームとなっている。
【００４２】
各サイドフレーム１５ａ，１５ｂの底部に設けた断面コ字状の溝部１５ｃは、各水槽２０ａ，２０ｂや、各水槽２０ａ，２０ｂに収容した花桶３０ａに活けられた切り花から垂れる水滴を受承して下方へ集水すべく機能する。各サイドフレーム１５ａ，１５ｂには、ベースフレーム１６ａ，１６ｂ，１６ｃが下方へ懸垂する状態に組付けられている。これらのベースフレーム１６ａ，１６ｂ，１６ｃは、互いに並列する両水槽２０ａ，２０ｂを３段に配置する各段部を形成している。
【００４３】
当該フラワーショーケースにおいては、フレーム構造体１０を構成する各サイドフレーム１５ａ，１５ｂより下方の空間部は機械室になっており、また、各サイドフレーム１５ａ，１５ｂより上方の空間部は切り花展示用の空間部となっている。当該フレーム構造体１０には、図１および図２に示すように、サイドパネル１７ａ，１７ｃ、および、化粧番１７ｂが取付けられている。
【００４４】
当該フレーム構造体１０においては、当該機械室の側部はサイドパネル１７ａにて覆蓋されており、各ベースフレーム１６ａ，１６ｂ，１６ｃに載置された各水槽２０ａ，２０ｂの側部は化粧板１７ｂにて覆蓋されており、また、当該切り花展示用の空間部の側部は、ガラス板等透視可能なサイドパネル１７ｃにて覆蓋されている。また、当該機械室の前側は、フロントパネル１８にて覆蓋されている。
【００４５】
当該フレーム構造体１０においては、上記したように、階段の上段、中段、下段の３つの段部を形成する各ベースフレーム１６ａ，１６ｂ，１６ｃは、水槽２０ａ，２０ｂを３段階に配置する配設部位となっていて、各ベースフレーム１６ａ，１６ｂ，１６ｃ上には、左右一対の水槽２０ａ，２０ｂが互いに隣接した並列状態に載置して配置される。
【００４６】
各水槽２０ａ，２０ｂを各ベースフレーム１６ａ，１６ｂ，１６ｃ上に配置した状態のフレーム構造体１０の下方の空間部、換言すれば、当該フラワーショーケースのケース本体の下方の空間部（機械室）を構成する下側枠部１１には、図３に示すように、電解水生成装置４０を構成する電解槽機構４１、被電解水を調製する濃塩水を収容する濃塩水タンク４２や、電解水生成装置の駆動を制御する制御装置等が組付けられる。当該電解水生成装置４０は、活け水を各水槽２０ａ，２０ｂ内に給水する水源として機能する。また、当該機械室には、ドレンパン５５が配設される。
【００４７】
当該フラワーショーケースを構成する水槽２０（２０ａ，２０ｂ）は、図６および図７に示すように、上方が開口する長方形状を呈する函体２２であって、函体２２を構成する周壁２２ａの内部には多数のリブが立設されている。各リブは、函体２２の内部に、花桶３０ａを収容する左右一対の収容空間部２２ｂ1，２２ｂ2を形成している。また、各リブは、函体２２の内部における各収容空間部２２ｂ1，２２ｂ2の後方の部位に、函体２２の内部に給水される活け水を受水する左右一対の受水空間部２２ｃ1，２２ｃ2を形成している。
【００４８】
また、函体２２の内部における各収容空間部２２ｂ1，２２ｂ2の前側の底部には、オーバーフローパイプ２１を立設するための取付孔部２４ａ，２４ｂが形成されている。なお、当該水槽２０においては、オーバーフローパイプ２１は取付孔部２４ａ，２４ｂに選択的に取付けられるもので、オーバーフローパイプ２１が取付けられない方の取付孔部は閉塞される。
【００４９】
また、当該水槽２０の函体２２内には、各花桶３０ａの外周と函体２２の内壁２２ａ間に生じる活け水の水流を規制すべく、一対のリブ２３ａ，２３ａが立設されている。各リブ２３ａ，２３ａは、受水空間部２２ｃ1，２２ｃ2に給水された活け水の、各花桶３０ａの外周と函体２２の周壁２２ａ間を流れる水流を規制する。また、函体２２内には、収容空間部２２ｂ1，２２ｂ2の一隅部のそれぞれに、ガイドとして機能するリブ２３ｂ，２３ｂが立設されている。これらのリブ２３ｂ，２３ｂは、各花桶３０ａを各収容空間部２２ｂ1，２２ｂ2に収容する際、各リブ２３ａ，２３ａと協働して、各花桶３０ａを各収容空間部２２ｂ1，２２ｂ2に案内すべく機能する。
【００５０】
図４に示す各水槽２０ａ，２０ｂのうち、上段の各水槽２０ａ，２０ｂにおけるオーバーフローパイプ２１は、図示左側の取付孔部２４ａに取付けられて起立して、中段の各水槽２０ａ，２０ｂ内の左側の受水空間部２２ｃ1の上方部位に臨んでいる。中段の各水槽２０ａ，２０ｂにおけるオーバーフローパイプ２１は、図示右側の取付孔部２４ｂに取付けられて起立して、下段の各水槽２０ａ，２０ｂ内の右側の受水空間部２２ｃ２の上方部位に臨んでいる。下段の各水槽２０ａ，２０ｂにおけるオーバーフローパイプ２１は、図示左側の取付孔部２４ａに取付けられて起立して、排水管５４に接続されている。
【００５１】
各水槽２０ａ，２０ｂを図４に示すように配置するには、例えば、先ず、各水槽２０ａ，２０ｂを下段のベースフレーム１６ｃ上に配置し、次いで、各水槽２０ａ，２０ｂを中段のベースフレーム１６ｂ上に配置し、最後に、各水槽２０ａ，２０ｂを上段のベースフレーム１６ａ上に配置する。この場合、各水槽２０ａ，２０ｂを中段のベースフレーム１６ｂ上に配置するには、配置すべき各水槽２０ａ，２０ｂの前側の下方の部位を、下段の各水槽２０ａ，２０ｂの後側の上方の部位に重合した状態で、中段のベースフレーム１６ｂ上に載置する。また、各水槽２０ａ，２０ｂを上段のベースフレーム１６ａ上に配置するには、これと同様、設置すべき各水槽２０ａ，２０ｂの前側の下方の部位を、中段の各水槽２０ａ，２０ｂの後側の上方の部位に重合した状態で、上段のベースフレーム１６ａ上に載置する。図３には、各水槽２０ａ，２０ｂを各ベースフレーム１６ａ，１６ｂ，１６ｃ上にこのように配置して構成したフラワーショーケースであって、各水槽２０ａ，２０ｂ内に、後述する花桶３０ａを収容した状態のフラワーショーケースを示している。
【００５２】
当該フラワーショーケースにおける各水槽２０ａ，２０ｂに対する給水は、装備している電解水生成装置４０を電解運転することにより行われる。当該電解水生成装置４０の電解運転により、生成された電解生成酸性水は、活け水として、先ず、上段の各水槽２０ａ，２０ｂ内の右側の受水空間部２２ｃ2に給水される。当該受水空間部２２ｃ2にて受水された活け水は、リブ２３ａの水流規制作用により、右側の収容空間部２１ｂ2に収容されている花桶３０ａの下方側部に位置する多数のスリット状穴から花桶３０ａ内に導入されつつ、リブ２３ａの水流規制作用により、左側の収容空間部２１ｂ1に流動し、同収容空間部２１ｂ1に収容されている花桶３０ａの下方側部に位置する多数のスリット状穴から花桶３０ａ内に導入される。この間、水槽２０ａ，２０ｂ内への給水は継続され、函体２２内が所定の水位に上昇した際には、函体２２内で余剰となった活け水は、左側に立設したオーバーフローパイプ２１を通して、中段の各水槽２０ａ，２０ｂの左側の受水空間部２２ｃ1にオーバーフローして給水されることになる（図４の上段、中段の水槽２０ａ，２０ｂを参照）。
【００５３】
中段の各水槽２０ａ，２０ｂの左側の受水空間部２２ｃ1にて受水された活け水は、左側の収容空間部２１ｂ1に収容されている花桶３０ａの下方側部に位置する多数のスリット状穴から花桶３０ａ内に導入されつつ、右側の収容空間部２１ｂ2に流動し、同収容空間部２１ｂ2に収容されている花桶３０ａの下方側部に位置する多数のスリット状穴から花桶３０ａ内に導入される。この間、上段の各水槽２０ａ，２０ｂからの中段の各水槽２０ａ，２０ｂ内への給水は継続され、函体２２内が所定の水位に上昇した際には、函体２２内で余剰となった活け水は、右側に立設されたオーバーフローパイプ２１を通して、下段の各水槽２０ａ，２０ｂの右側の受水空間部２２ｃ2にオーバーフローして給水されることになる（図４の中段、下段の水槽２０ａ，２０ｂを参照）。
【００５４】
下段の各水槽２０ａ，２０ｂの右側の受水空間部２２ｃ2にて受水された活け水は、右側の収容空間部２１ｂ2に収容されている花桶３０ａの下方側部に位置する多数のスリット状穴から花桶３０ａ内に導入されつつ、左側の収容空間部２１ｂ1に流動し、同収容空間部２１ｂ1に収容されている花桶３０ａの下方側部に位置する多数のスリット状穴から花桶３０ａ内に導入される。この間、中段の各水槽２０ａ，２０ｂからの下段の各水槽２０ａ，２０ｂ内への給水は継続され、函体２２内が所定の水位に上昇した際には、函体２２内で余剰となった活け水は、左側に立設されたオーバーフローパイプ２１を通してオーバーフローして、排水管５４に排水されることになる（図４の下段の水槽２０ａ，２０ｂを参照）。
【００５５】
当該フラワーショーケースにおいては、下段の水槽２０ａ．２０ｂおよび各花桶３０ａが満杯となって、下段の水槽２０ａ，２０ｂ内の余剰の活け水がオーバーフローパイプ２１を通して所定量排水された場合には、その時点で、電解水生成装置４０の電解運転は停止されて、各水槽２０ａ，２０ｂ内への給水が終了する。
【００５６】
図８には、本発明に係るフラワーショーケースに使用する花桶３０ａの一実施形態を示している。当該花桶３０ａは、横断面が略正方形の角状の有底の筒体であって、底部から上端に向けてテーパ状に漸次拡開する筒体３１を主体とするものである。当該筒体３１は、その上端が斜め下方に切断された状態にあり、その上端開口部は斜め下方に傾斜する開口部３１ａとなっている。また、筒体３１の下方の部位の四方の壁部には、互いに並列して上下方向に延びる多数のスリット状穴３１ｂが形成されている。当該花桶３０ａにおいては、筒体３１の上端開口部３１ａの外周の全周縁にわたる外向きフランジ状の傾斜面部３２を備えている。当該傾斜面部３２の左右の側部には、下方へ延びる下向きフランジ部３３を備えている。
【００５７】
かかる構成の切り花展示用フラワーショーケースにおいては、基本的には、上段の各水槽２０ａ，２０ｂと中段の各水槽２０ａ，２０ｂとを、オーバーフローパイプ２１を介して、水経路的に接続する構成を採り、また、中段の水槽２０ａ，２０ｂと下段の各水槽２０ａ，２０ｂとを、オーバーフローパイプ２１を介して、水経路的に接続する構成を採っていて、接続用配管の使用を廃止している。
【００５８】
また、水経路的に接続する構成を採る当該フラワーショーケースにおいては、上記した基本的な構成に加えて、水槽２０ａ，２０ｂ内の給水を受ける受水部を、水槽２０ａ，２０ｂ内に設けたリブにて包囲された空間部（受水空間部２２ｃ1，２２ｃ2）に形成している。当該構成によれば、水槽２０ａ，２０ｂ内に活け水を給水する際には、水槽２０ａ，２０ｂ内の活け水を受け入れる受水空間部２２ｃ1，２２ｃ2での活け水の跳上や、水槽２０ａ，２０ｂ内の水面の波打ち等を大幅に減少させることができ、水槽２０ａ，２０ｂ内の活け水の給水や入れ替えを安定した状態で行うことができる。
【００５９】
また、当該フラワーショーケースにおいては、各水槽２０ａ，２０ｂ内に、各水槽２０ａ，２０ｂの内壁と収容された花桶３０ａの外周との間で生じる活け水の水流を規制する規制部位（リブ２３ａ）を形成している。当該構成によれば、各水槽２０ａ，２０ｂの一方側から給水される活け水は、各花桶３０ａの底部近傍に設けた多数のスリット状穴３１ｂから各花桶３０ａの筒体３１内に導入するとともに各スリット状穴３１ｂから導出して、当該水槽２０ａ，２０ｂおよび各花桶３０ａを満杯状態とした後、余剰の活け水はオーバーフローすることになる。
【００６０】
このため、各水槽２０ａ，２０ｂおよび各花桶３０ａを短時間でかつ的確に満杯状態とすることができるとともに、各水槽２０ａ，２０ｂ内や各花桶３０ａ内の活け水の入れ替えを迅速かつ効率よく行うことができる。
【００６１】
さらには、当該規制部位を構成するリブ２３ａは他のリブと協働して、各花桶３０ａを収容空間部２２ｂ1，２２ｂ2に収容する際のガイドとして機能し、各花桶３０ａを所定の収容空間部２２ｂ1，２２ｂ2に的確にセットすることができるとともに、各水槽２０ａ，２０ｂ内に設けた各リブは、各水槽２０ａ，２０ｂに対して補強すべく機能し、各水槽２０ａ，２０ｂに活け水を入れ替える際の水圧の変化による変形を防止することができる。
【００６２】
ところで、当該フラワーショーケースにおいては、上記したように、各水槽２０ａ，２０ｂ内に収容するための花桶として、図８に示すように、筒体３１の開口部３１ａの外周縁に形成された外向きフランジ状の傾斜面部３２を備え、かつ、筒体３１の開口部３１ａの左右の側縁に形成された下向きフランジ部３３を備える構成の花桶３０ａを採用している。
【００６３】
当該花桶３０ａの傾斜面部３２は、上方へ膨出する円弧状で下降傾斜する形状を呈していて、上段の水槽２０ａ，２０ｂ内に収容されている花桶３０ａの傾斜面部３２の前端部側と、中段の水槽２０ａ，２０ｂ内に収容されている花桶３０ａの傾斜面部３２の後端部側が互いに嵌合した状態で連係して、また、中段の水槽２０ａ，２０ｂ内に収容されている花桶３０ａの傾斜面部３２の前端部側と、下段の水槽２０ａ，２０ｂ内に収容されている花桶３０ａの傾斜面部３２の後端部側が互いに嵌合した状態で連係する。このため、上段、中段および下段の各水槽２０ａ，２０ｂ内に収容されている各花桶３０ａの各傾斜面部３２同士は、複数の円弧状に盛り上った状態で下降傾斜する上下に一体的の下降傾斜面を形成することになる（図１、図２および図３を参照）。
【００６４】
また、花桶３０ａの側部の下向きフランジ部３３は、花桶３０ａが水槽２０ａ，２０ｂ内に並列配置されている状態では、互いに対向する側の下向きフランジ部３３同士は当接した状態で連係する。このため、左右の花桶３０ａ同士は起立状態に保持されるとともに、両傾斜面部３２同士は左右に一体の下降傾斜面を形成することになる（図１、図２および図３を参照）。
【００６５】
当該フラワーショーケースにおいては、図３に示すように、フレーム構造体１０の階段の下方の空間部（機械室）には、電解水生成装置４０を構成する電解槽機構部４１、濃塩水タンク４２、電解水生成装置の運転を制御する制御装置等が配設されている。また、下段の水槽２０ａ，２０ｂの前側の下方の部位には、左右方向に長尺のドレンパン５５が配設されている。当該ドレンパン５５は、フレーム構造体１０に対して取外し可能に取付けられた状態で、排水管５４に接続されていて、下段の水槽２０ａ，２０ｂに収容されている花桶３０ａの傾斜面部３２の前端部と、機械室の前側を覆蓋するフロントパネル１８間に形成されている隙間Ｌの下方に臨んでいる。当該フロントパネル１８の上面部１８ａは、花桶３０ａの傾斜面部３２の傾斜面と略同様の角度の傾斜面に形成されている。
【００６６】
このように、当該フラワーショーケースにおいては、上段、中段および下段の各水槽２０ａ，２０ｂ内に収容されている全ての花桶３０ａの傾斜面部３２は、上下および左右に互いに一体の下降傾斜面を形成している。当該下降傾斜面は、フレーム構造体１０の階段、および、階段の各段部に配置されている水槽２０ａ，２０ｂの全てを上から覆蓋し、この状態で、当該下降傾斜面の前端縁が、花桶３０の傾斜面部３２の前端部とフロントパネル１８間の隙間Ｌの上方に臨んでいる。また、当該下降傾斜面の左右の側縁は、フレーム構造体１０のサイドフレーム１５ａ，１５ｂが有する溝部１５ｃの上方に臨んでいる。
【００６７】
このため、フレーム構造体１０の階段の各段部に配置した水槽２０ａ，２０ｂ内や各花桶３０ａ内に給水したり、各花桶３０ａ内に切り花を挿入したり、各花桶３０ａ内から切り花を取出す際に落下する水滴、花弁、葉等は当該下降傾斜面上にて受承され、当該フラワーショーケースが設置されている床面上に落下することはない。当該下降傾斜面上に受承された水滴、花弁、葉等は、自らまたは作業者の補助によって、当該下降傾斜面上を下方に滑り、当該隙間Ｌを通って、ドレンパン５５に落下して受承される。
【００６８】
従って、当該フラワーショーケースにおいては、当該フラワーショーケースが設置されている床面上に水滴、花弁、葉等が落下することがなく、水滴、花弁、葉等の落下に起因して、展示している切り花の見栄えが損なわれるようなことはなく、また、当該フラワーショーケースが設置されている周囲が汚染されるようなこともない。換言すれば、当該フラワーショーケースを使用すれば、切り花の展示には、何等の支障を来すことはない。
【００６９】
また、当該フラワーショーケースによれば、花弁、葉等が各水槽２０ａ，２０ｂ内に落下することがないことから、各水槽２０ａ，２０ｂ内に収容されている活け水が花弁、葉等によって早期に汚染されるようなこともない。なお、当該フラワーショーケースにおいては、各水槽２０ａ，２０ｂ内への給水や、各水槽２０ａ，２０ｂ内の活け水の入れ替えは、上下の各水槽２０ａ，２０ｂを互いに閉鎖した状態で、給水手段を介して自動的に行っていることから、活け水が各水槽２０ａ，２０ｂの外へ飛散することもない。
【００７０】
当該フラワーショーケースにおいては、ドレンパン５５をフレーム構造体１０に対して着脱自在に配設する構成とし、また、ドレンパン５５を当該フラワーショーケースが有する排水管５４に接続する構成としている。前者の構成によれば、ドレンパン５５をケース本体１０から容易に取外して、ドレンパン５５の清掃、延いては、当該フラワーショーケースの清掃を容易に行うことができ、さらには、当該フラワーショーケースのメンテナンスも容易に行うことができる。また、後者の構成によれば、ドレンパン５５上に許容する容量以上の水が流下する場合でも、ドレンパン５５上に受水された水はその都度排水されることから、水がドレンパン５５から溢出るようなことはない。
【００７１】
また、当該フラワーショーケースにおいては、各水槽２０ａ，２０ｂ内に収容された左右に位置する花桶３０ａの傾斜面部の側部同士も、左右に一体の下降傾斜面を形成する構成としている。当該構成によれば、互いに並列する両花桶２０ａ，２０ｂ間には隙間が存在することはなく、当該隙間を通して、水滴、花弁、葉等が各水槽２０ａ，２０ｂ内、および、フレーム構造体１０の階段の各段部上に落下するようなことはない。
【００７２】
当該フラワーショーケースにおいては、フレーム構造体１０を構成する各サイドパネル１５ａ，１５ｂの底部がコ字状断面の溝部１５ｃに構成されていて、階段の各段部の水槽２０ａ，２０ｂ内に収容された花桶３０ａの傾斜面部３２が形成する下降傾斜面の左右の各側縁部を、当該溝部１５ｃの上方に臨ませている。このため、当該下降傾斜面の側部から垂れた水滴等は、当該サイドパネル１５ａ，１５ｂの溝部１５ｃに受承されて下方に流れて、ドレンパン５５に受承されることになって、当該水滴等が当該フラワーショーケースが設置されている床面上の垂れ落ちることはない。このため、当該フラワーショーケースによれば、各水槽２０ａ，２０ｂ内に収容されている各花桶３０ａに切り花を挿入する場合や、各花桶３０ａ内から取出す場合に、当該フラワーショーケースの設置場所の周囲を汚染するようなことはない。
【００７３】
当該フラワーショーケースにおいては、フレーム構造体１０における下方の空間部（機械室）の側部をサイドパネル１７ａで覆蓋し、フレーム構造体１０における各ベースフレームに配置される各水槽２０ａ，２０ｂの側部を化粧板１７ｂで覆蓋し、フレーム構造体１０における階段より上方の空間部（切り花展示用空間部）の側部を透視可能なサイドパネル１７ｃで覆蓋する構成としている。このため、当該フラワーショーケースの外観の見栄えを一層向上させることができるとともに、当該フレーム構造体１０の強度を補強することができる。
【００７４】
当該フラワーショーケースにおいて、フレーム構造体１０の階段の下方の空間部（機械室）の前側開口部を覆蓋するフロントパネル１８の上側面１８ａを、花桶３０ａの傾斜面部３２の傾斜面に近似する角度の傾斜面として、フロントパネル１８と花桶３０ａの傾斜面部３２間に設けた隙間Ｌを極力目立つことがないようにしている。
【００７５】
本発明に係るフラワーショーケースにおいては、上記したように、特殊な形状および構造の花桶を採用することを最大の特徴とするところであり、当該フラワーショーケースに採用する花桶としては、上記した花桶３０ａに替えて、図９に示す花桶３０ｂや、図１０に示す花桶３０ｃを好適に採用することができる。
【００７６】
図９に示す花桶３０ｂは、基本的には、花桶３０ａとは構成および作用効果を同じくするものであるが、当該花桶３０ｂにおいては、花桶３０ｂの主体部である筒体３１の前側の上方の部位に、横方向に長い開口部３１ｃを形成している。当該開口部３１ｃは、複数本の指を挿入して花桶３０ｂを持つことができるため、当該開口部３１ｃを持ち手用穴３１ｃと称する。当該花桶３０ｂによれば、花桶３０ｂを持ち手用穴３１ｃを使用して手に持って、各水槽２０ａ，２０ｂ内に容易に収容することができるとともに、各水槽２０ａ，２０ｂ内から容易に取出すことができる。なお、当該持ち手用穴３１ｃは、ＰＯＰスタンドを取付けるためにも使用することができて、便利である。
【００７７】
また、当該花桶３０ｂにおいては、花桶３０ｂを構成する筒体３１の底部に略十字状のリブ３１ｄを設けている。当該リブ３１ｄは、活け花が挿入される４つの区画部を形成している。当該花桶３０ｂを使用すれば、花桶３０ｂ内に挿入された切り花は、各区画部毎に、まとまった一群の状態で分配される。このため、各区画部毎に分配された活け花群は、販売によってそれぞれ本数が少なくなった場合でも、各切り花が区画部を越えてばらけて大きく傾くようなことはなく、展示された活け花の姿勢が大きく損なわれるようなことはない。また、当該リブ３１ｄは、筒体３１の強度を補強すべく機能もする。
【００７８】
図１０に示す花桶３０ｃは、花桶３０ｂと同様に、展示している活け花が販売によって本数を減らした場合でも、各切り花が大きくばらついて傾くことがないように意図したものであり、当該花桶３０ｃでは、筒体３１の底部と後壁部間に断面三角形状のブロック３１ｅを形成している。当該ブロック３１ｅは、筒体３１と一体的に成形されていて、その前面が底部に向かって下降傾斜する傾斜面となっている。
【００７９】
従って、当該ブロック３１ｅは、当該花桶３０ｃ内に挿入された活け花が販売によって本数を大きく減らした場合には、残存する活け花は当該ブロック３１ｅの傾斜面を漸次滑って底部に位置することになり、花桶３０ｃ内に活け花が大きな傾いたり、筒体３１内で大きくばらついたりするようなことはない。これにより、当該花桶３０ｃ内の活け花の見栄えが大きく損なわれるようなことはない。
【００８０】
本発明に係るフラワーショーケースの一実施形態では、上記したように、特殊な形状および構造の各花桶３０ａ，３０ｂ，３０ｃを使用しているが、当該フラワーショーケースにおいては、これらの配慮に加えて、展示されている活け花に対する照明についても配慮している。
【００８１】
当該フラワーショーケースにおいては、図３に示すように、ケース本体の天井の部位に複数の蛍光灯１９を設置して、展示している切り花を当該蛍光灯１９で照明している。当該蛍光灯１９として、色温度が３，５００〜４，５００Ｋの範囲の白色光の蛍光灯を採用している。
【００８２】
従来のフラワーショーケースでは、色温度が２，８００〜３，０００Ｋの範囲の電球色の蛍光灯や、色温度が５，０００Ｋ程度の昼白色の蛍光灯を採用していた。前者の電球色光では黄味がかって、展示している切り花が真の色から大きく異なる色に見える不具合があり、また、後者の昼白色光では、展示している切り花が暖かみの不足する色に見える不具合がある。これに対して、当該フラワーショーケースで採用している白色光（色温度が３，５００〜４，５００Ｋ）では、切り花の真の色に近くて、適度な暖かみのある色に見えて、展示している切り花の色彩が損なわれることがないという利点がある。
【符号の説明】
【００８３】
１０…フレーム構造体、１１…下側枠部、１２…後側柱状枠部、１２ａ，１２ｂ…支柱部、１３…前側柱状枠部、１３ａ，１３ｂ…支柱部、１４ａ…連結フレーム、１４ｂ…天板、１５ａ，１５ｂ…サイドフレーム、１５ｃ…溝部、１６ａ，１６ｂ，１６ｃ…ベースフレーム、１７ａ…サイドパネル、１７ｂ…化粧板、１７ｃ…サイドパネル、１８…フロントパネル、１８ａ…上側面、１９…蛍光灯、２０（２０ａ，２０ｂ）…水槽、２０ｃ…水槽、２１…オーバーフローパイプ、２２…函体、２２ａ…周壁、２２ｂ1，２２ｂ2…収容空間部、２２ｃ1，２２ｃ2…受水空間部、２３ａ，２３ｂ…リブ、２４ａ，２４ｂ…取付孔部、３０ａ〜３０ｃ…花桶、３１…筒体、３１ａ…開口部、３１ｂ…スリット状穴、３１ｃ…開口部（手持ち用穴）、３１ｄ…リブ、３１ｅ…ブロック、３２…傾斜面部、３３…下向きフランジ部、４０…電解水生成装置、４１…電解槽機構部、４２…濃塩水タンク、５１，５２，５２ａ…給水管、５３ａ…三方弁、５３ｂ…注出管、５４…排水管、５５…ドレンパン。
【図１】
0005832848.tif 000002
【図２】
0005832848.tif 000003
【図３】
0005832848.tif 000004
【図４】
0005832848.tif 000005
【図５】
0005832848.tif 000006
【図６】
0005832848.tif 000007
【図７】
0005832848.tif 000008
【図８】
0005832848.tif 000009
【図９】
0005832848.tif 000010
【図１０】
0005832848.tif 000011